(57)【要約】【課題】携帯端末において、ユーザに対して、適切且つ確実に広告を閲覧させることである。【解決手段】携帯端末としての携帯電話機１０は、省電力モードから通常待ち受けモードに切り替わる際に、広告配信装置としての広告配信サーバ３０から予め受信されて記憶されている広告データを再生するとともに、その再生量のカウンタをインクリメントし、そのカウンタが所定値以上になった場合に、ユーザ登録装置としてのユーザ登録サーバ４０にユーザ登録要求を送信する。【選択図】図１
2005303352.tif 000002
【特許請求の範囲】
【請求項１】
広告データを配信する広告配信装置と、広告データ閲覧に対する特典を与えるユーザを登録するユーザ登録装置と通信する第１の通信手段と、
広告データを再生する再生手段と、
前記広告配信装置から前記第１の通信手段を介して受信した広告データと、当該広告データの再生量をカウントするカウンタとを記憶する記憶手段と、
省電力モードから通常待ち受けモードに切り替わる際に、前記記憶手段に記憶されている広告データを前記再生手段に再生させるとともに、前記記憶手段に記憶されるカウンタをインクリメントする広告データ再生制御手段と、
前記記憶手段に記憶されたカウンタのカウント数が所定値以上になった場合に、前記第１の通信手段を介して前記ユーザ登録装置にユーザ登録要求を送信するユーザ登録要求手段と、
を備えることを特徴とする携帯端末。
【請求項２】
前記広告データ再生制御手段は、再生した広告データの種類に基づいて前記カウンタのインクリメント量を変更することを特徴とする請求項１に記載の携帯端末。
【請求項３】
前記広告データ再生制御手段は、広告データ要求を前記広告配信装置に前記第１の通信手段を介して送信し、当該広告データ要求に対応する広告データを前記広告配信装置から前記第１の通信手段を介して受信して前記記憶手段に記憶させることを特徴とする請求項１又は２に記載の携帯端末。
【請求項４】
請求項１から３のいずれか一項に記載の携帯端末と、
前記携帯端末と通信する第２の通信手段と、広告データを前記第２の通信手段を介して前記携帯端末に送信する広告データ送信手段と、を備える広告配信装置と、
前記携帯端末と通信する第３の通信手段と、広告データ要求を第２の通信手段を介して受信し、当該広告データ要求に基づいて要求元のユーザを特典付与対象として登録するユーザ登録手段と、を備えるユーザ登録装置と、
を具備することを特徴とする広告配信システム。
【発明の詳細な説明】
【技術分野】
【０００１】
本発明は、携帯端末及び広告配信システムに関する。
【背景技術】
【０００２】
従来、携帯電話機などの携帯端末とサーバとを有するシステムにおいて、広告を携帯端末のユーザに配信するシステムが考えられている。例えば、サーバから制御チャネルを用いて、広告情報を含んだ待ち受け画面、着信画面、着信音を携帯端末に自動配信して、その配信情報に含まれる広告情報を携帯端末のユーザに自動配信する構成が考えられている（例えば、特許文献１参照）。
【０００３】
また、ユーザが端末を介して広告主のサーバのホームページのバナー広告に特定回数以上アクセスした場合に、サーバがそのユーザに対して特典を提供することにより、広告の宣伝効率を高める構成が考えられている（例えば、特許文献２参照）。
【特許文献１】特開２００２−１６５０１０号公報
【特許文献２】特開２００２−２０３１７９号公報
【発明の開示】
【発明が解決しようとする課題】
【０００４】
しかし、特許文献１に記載のように広告情報を含んだ待ち受け画面を携帯端末に自動配信する構成では、携帯端末のユーザが、好みの待ち受け画面に代えて、広告情報を含む待ち受け画面を常時表示せなければならないという問題があった。
【０００５】
また、特許文献２に記載のように広告情報を含んだ待ち受け画面を携帯端末に自動配信する構成では、ユーザが特典を受けるためにはその都度広告が表示されているサーバ上のホームページにアクセスしなければならないという問題があった。
【０００６】
このように、従来の構成では、携帯端末のユーザに対して、不必要に広告を表示しつづけるという問題や、広告データを閲覧するために煩雑な作業を強いるという問題があった。
【０００７】
本発明の課題は、携帯端末において、ユーザに対して、適切且つ確実に広告を閲覧させることである。
【課題を解決するための手段】
【０００８】
以上の課題を解決するために、本発明は、
広告データを配信する広告配信装置と、広告データ閲覧に対する特典を与えるユーザを登録するユーザ登録装置と通信する第１の通信手段と、
広告データを再生する再生手段と、
前記広告配信装置から前記第１の通信手段を介して受信した広告データと、当該広告データの再生量をカウントするカウンタとを記憶する記憶手段と、
省電力モードから通常待ち受けモードに切り替わる際に、前記記憶手段に記憶されている広告データを前記再生手段に再生させるとともに、前記記憶手段に記憶されるカウンタをインクリメントする広告データ再生制御手段と、
前記記憶手段に記憶されたカウンタのカウント数が所定値以上になった場合に、前記第１の通信手段を介して前記ユーザ登録装置にユーザ登録要求を送信するユーザ登録要求手段と、
を備えることを特徴とする携帯端末である。
【０００９】
また、例えば、前記広告データ再生制御手段は、再生した広告データの種類に基づいて前記カウンタのインクリメント量を変更することとして構成してもよい。
【００１０】
また、例えば、前記広告データ再生制御手段は、広告データ要求を前記広告配信装置に前記第１の通信手段を介して送信し、当該広告データ要求に対応する広告データを前記広告配信装置から前記第１の通信手段を介して受信して前記記憶手段に記憶させることとして構成してもよい。
【００１１】
また、例えば、
前記携帯端末と、
前記携帯端末と通信する第２の通信手段と、広告データを前記第２の通信手段を介して前記携帯端末に送信する広告データ送信手段と、を備える広告配信装置と、
前記携帯端末と通信する第３の通信手段と、広告データ要求を第２の通信手段を介して受信し、当該広告データ要求に基づいて要求元のユーザを特典付与対象として登録するユーザ登録手段と、を備えるユーザ登録装置と、
を具備することを特徴とする広告配信システムとして構成してもよい。
【発明の効果】
【００１２】
本発明によれば、携帯端末において、省電力モードから通常モードに移行された場合に、広告データを再生するので、ユーザに対して、不必要に広告データを再生することなく、適切且つ確実に広告を閲覧させることができ、宣伝効率を高めることができる。また、広告データ再生量のカウンタのカウント数が所定値以上になった場合に、携帯端末からユーザ登録要求でき、登録ユーザに特典を与えるので、ユーザに対して、さらに効果的に広告データを閲覧させることができる。また、携帯端末において、予め広告配信装置から広告データを受信して記憶手段に記憶させるので、広告データ再生時には、外部機器と通信することなく、記憶手段から広告データを読み出して再生を開始することができる。
【発明を実施するための最良の形態】
【００１３】
以下、添付図面を参照して本発明に係る好適な実施の形態を詳細に説明する。先ず、図１〜図４を参照して、本実施の形態の装置構成を説明する。図１に、本実施の形態の広告配信システム１００の構成を示す。図２に、携帯電話機１０の内部構成を示す。図３に、広告配信サーバ３０の内部構成を示す。図４に、ユーザ登録サーバ４０の内部構成を示す。
【００１４】
図１に示すように、本実施の形態の広告配信システム１００は、携帯端末としての携帯電話機１０と、広告配信装置としての広告配信サーバ３０と、ユーザ登録装置としてのユーザ登録サーバ４０と、携帯電話機の通信及び通話を介する基地局５０とを備えて構成され、広告配信サーバ３０、ユーザ登録サーバ４０及び基地局５０が通信ネットワークＮに接続され、携帯電話機１０が基地局５０と無線通信接続可能である。
【００１５】
携帯電話機１０は、複数の携帯電話機を代表して示したものであり、その数及び種類が１つに限定されるものではない。また、携帯電話機１０は、データの送受信などの通信機能と、省電力のために、例えば表示画面の表示を消す省電力待ち受け画面機能とを有する携帯端末であればよく、例えば、ＰＨＳ（Personal Handyphone System）、ＰＤＡ（Personal Digital Assistant）、携帯式ＰＣなどとしてもよい。
【００１６】
通信ネットワークＮは、データ通信網及び電話回線網を含み、ＷＡＮ（Wide Area Network）、ＬＡＮ（Local Area Network）、ＩＳＤＮ（Integrated Services Digital Network）回線網、広帯域通信回線網、専用線、移動体通信網、通信衛星回線、ＣＡＴＶ（Cable Television）回線、光通信回線、無線通信回線と、それらを接続するインターネットサービスプロバイダなどを含む構成でもよい。
【００１７】
次いで、携帯電話機１０の構成を説明する。図２及び図３に示すように、携帯電話機１０は、ＣＰＵ１１と、ＲＯＭ１２と、ＲＡＭ１３と、液晶表示部１４と、キー入力部１５と、アンテナ１６と、無線部１７と、スピーカ１８と、マイク１９と、音声変換回路２０と、バイブレータ２１と、鳴音部２２と、フラッシュメモリ２３と、を備えて構成される。
【００１８】
ＣＰＵ１１は、携帯電話機１０内の各部を中央制御する。ＣＰＵ１１は、ＲＯＭ１２に格納されているシステムプログラム及び各種アプリケーションプログラムの中から指定されたプログラムをＲＡＭ１３に展開し、ＲＡＭ１３に展開されたプログラムとの協働で、各種処理を実行する。
【００１９】
ＲＯＭ１２は、各種データ及び各種プログラムを読み出し可能に記憶する。ＲＡＭ１３は、前記指定されたプログラム、入力指示、入力データ及び処理結果などを格納するワークエリアを有し、情報を一時的に格納する。ＲＯＭ１２には、少なくとも、広告データ受信処理を行うための広告データ受信プログラムと、広告データ表示処理を行うための広告データ表示プログラムとを記憶する。
【００２０】
液晶表示部１４は、ＣＰＵ１１から入力される各種情報を表示する。また、液晶表示部１４に代えて、ＥＬディスプレイ（ElectroLuminescent Display）などの表示部としてもよい。
【００２１】
キー入力部１５は、ダイヤルキー（文字入力キー）、メニューキー及び各種機能キーなどの入力キーを備えて構成され、操作者（ユーザ）により押下されたキーに対応する押下信号をＣＰＵ１１に出力する。
【００２２】
無線部１７は、搬送波を音声変換回路２０から入力される通信データで変調処理し、アンテナ１６を介して無線通信信号を基地局５０に発信する。また、無線部１７は、アンテナ１６を介して基地局５０から受信した無線通信信号を、復調処理して通信データを取得し、その通信データを音声変換回路２０に出力する。また、無線部１７は、搬送波をＣＰＵ１１から入力される通信データで変調処理し、アンテナ１６を介して無線通信信号を基地局５０に発信する。また、無線部１７は、アンテナ１６を介して基地局５０から受信した無線通信信号を、復調処理して通信データを取得し、その通信データをＣＰＵ１１に出力する。つまり、無線部１７は、基地局５０及びアンテナ１６を介して、外部の通信データの送信先又は送信元の機器と無線通信接続される。
【００２３】
音声変換回路２０は、マイク１９から入力された音声信号をコード化処理して通信データに変換して無線部１７に出力する。また、音声変換回路２０は、無線部１７から入力された通信データをデコード処理して音声信号に変換してスピーカ１８に出力する。つまり、通話時に、マイク１９から入力された音声信号は、音声変換回路２０、無線部１７を順に介して無線通信信号としてアンテナ１６から発信され、当該無線通信信号が基地局５０を介して通話先の携帯電話などに送信される。また、通話時に、通話先の携帯電話などから基地局５０を介して送信された無線通信信号がアンテナ１６により受信され、無線部１７、音声変換回路２０を介して音声信号としてスピーカ１８から出力される。
【００２４】
バイブレータ２１は、携帯電話機１０の着信時などにＣＰＵ１１からの振動指示入力により振動し、当該振動によりユーザに通話やメールの着信などを報知する。鳴音部２２は、携帯電話機１０の着信時などにＣＰＵ１１からの鳴音指示により鳴音し、当該鳴音によりユーザに通話やメールの着信などを報知する。
【００２５】
フラッシュメモリ２３は、電気的にデータの書き換えが可能な不揮発性のメモリである。フラッシュメモリ２３には、少なくとも、後述される広告関連テーブル６０、カウント重み付けテーブル７０及び広告データ再生カウンタが記憶される。
【００２６】
次いで、図４を参照して広告配信サーバ３０の内部構成を説明する。広告配信サーバ３０は、ＣＰＵ３１と、操作部３２と、ＲＡＭ３３と、表示部３４と、記憶部３５と、通信部３６と、を備えて構成され、各部がバス３７により接続される。
【００２７】
ＣＰＵ３１は、広告配信サーバ３０内の各部を中央制御する。ＣＰＵ３１は、記憶部３５に格納されているシステムプログラム及び各種アプリケーションプログラムの中から指定されたプログラムをＲＡＭ３３に展開し、ＲＡＭ３３に展開されたプログラムとの協働で、各種処理を実行する。
【００２８】
操作部３２は、各種入力キーを備えて構成され、操作者（ユーザ）により押下されたキーに対応する押下信号をＣＰＵ３１に出力する。表示部３４は、ＣＲＴ（Cathode Ray Tube）方式、液晶方式などで、ＣＰＵ３１から入力される各種情報を表示する。
【００２９】
ＲＡＭ３３は、前記指定されたプログラム、入力指示、入力データ及び処理結果などを格納するワークエリアを有し、情報を一時的に格納する。記憶部３５は、ＨＤＤ（ハードディスクドライブ）などの固定式記録媒体により各種データ及び各種プログラムを読み書き可能に記憶し、ＣＤ−ＲＷ（CD ReWritable），ＤＶＤ−ＲＷ（Digital Versatile Disk ReWritable）、携帯式ＨＤＤなどの記録媒体又は複数の記録媒体の組合せとしてもよい。記憶部３５には、少なくとも、各種広告データの配信を行う広告データ送信プログラムと、その配信対象としての各種広告データと、その広告データの広告主識別情報及び広告データ再生カウント閾値とが記憶される。
【００３０】
通信部３６は、モデム、ルータなどを有し、通信ネットワークＮ上の各種機器とス通信する。
【００３１】
次いで、図４を参照してユーザ登録サーバ４０の内部構成を説明する。ユーザ登録サーバ４０は、ＣＰＵ４１と、操作部４２と、ＲＡＭ４３と、表示部４４と、記憶部４５と、通信部４６と、を備えて構成され、各部がバス４７により接続される。ＣＰＵ４１、操作部４２、ＲＡＭ４３、表示部４４、記憶部４５及び通信部４６は、順に、図４に示すＣＰＵ３１、操作部３２、ＲＡＭ３３、表示部３４、記憶部３５及び通信部３６と同様の構成であるので、説明の重複を避けるため、異なる部分を主として説明する。
【００３２】
記憶部４５には、少なくとも、所定カウント数以上に広告データを再生した特典付与対象のユーザのユーザ登録を行うユーザ登録プログラムと、そのユーザ登録されたユーザの情報が記録される登録ユーザ管理データベースとが記憶される。
【００３３】
次に、図５及び図６を参照して、フラッシュメモリ２３に記憶される広告関連テーブル６０及びカウント重み付けテーブル７０の構成を説明する。図５に、広告関連テーブル６０の構成を示す。図６に、カウント重み付けテーブル７０の構成を示す。
【００３４】
図５に示すように、広告関連テーブル６０は、広告主を識別する広告主識別情報６１と、広告主識別情報６１に対応して、ユーザがユーザ登録を受けられる広告データ再生量の閾値を示す広告データ再生カウント閾値６２と、広告主識別情報６１に対応する各種の広告データ６３と、を含む。例えば、１つの広告主識別情報６１に対応して、少なくとも１つの広告データ６３が設定される。また、広告データ再生カウント閾値６２は、広告データ６３に対応するものとしてもよい。
【００３５】
図６に示すように、カウント重み付けテーブル７０は、広告データの再生種類としての再生メディア７１と、再生メディア７１に対応する再生時間７２と、再生メディア７１に対応するカウンタインクリメント値７３と、を含む。
【００３６】
再生メディア７１としては、動画、静止画＋音声、音声＋振動及び音声、音声としたが、これに限定されるものではなく、動画、静止画、振動及び音声などや、これらのうちの複数の組合せとすることができる。また、再生メディア７１の各データに、１つの再生時間７２と、１つのカウンタインクリメント値７３が対応付けられているが、これに限定されるものではなく、再生メディア７１のうちの１つのデータに、複数の再生時間７２及び／又はカウンタインクリメント値７３を対応付ける構成としてもよい。
【００３７】
次に、図７〜図１２を参照して、広告配信システム１００の動作を説明する。図７に、携帯電話機１０において実行される広告データ受信処理を示す。図８に、広告配信サーバ３０において実行される広告データ送信処理を示す。図９に、携帯電話機１０において実行される広告データ表示処理を示す。図１０に、携帯電話機１０に表示される表示画面を示し、（ａ）に省電力表示画面１４１を示し、（ｂ）に静止画再生画面１４２を示し、（ｃ）に通常待ち受け画面１４３を示す。図１１に、携帯電話機１０に表示される広告データ再生カウント値表示画面１４４を示す。図１２に、ユーザ登録サーバ４０において実行されるユーザ登録処理を示す。
【００３８】
図７を参照して、携帯電話機１０において実行される広告データ受信処理を説明する。広告データ受信処理は、後述する広告データ表示処理の実行前に、携帯電話機１０において、広告配信サーバ３０に初期データとしての広告データを要求して受信する処理である。携帯電話機１０において、ユーザにより広告データ受信処理実行指示がキー入力部１５を介して入力されたことをトリガとして、ＣＰＵ１１と、ＲＯＭ１２から適宜読み出されてＲＡＭ１３に展開された広告データ受信プログラムとの協働により広告データ受信処理が実行される。
【００３９】
先ず、広告データ要求が生成され、その広告データ要求が、無線部１７、アンテナ１６、基地局５０及び通信ネットワークＮを介して広告配信サーバ３０に送信される（ステップＳ１１）。広告データ要求には、初期データとしての広告データを要求する情報を含む。
【００４０】
そして、広告データ要求に対応する、広告主識別情報が付加された広告データと、その広告データに関連する広告データ再生カウント閾値とが、通信ネットワークＮ、基地局５０、アンテナ１６及び無線部１７を介して広告配信サーバ３０から受信される（ステップＳ１２）。
【００４１】
そして、ステップＳ１２で受信した、広告主識別情報が付加された広告データと、広告データ再生カウント閾値とが、フラッシュメモリ２３の広告関連テーブル６０内に記憶され（ステップＳ１３）、広告データ受信処理が終了される。ステップＳ１３は、具体的には、受信した、広告主識別情報、広告データ、広告データ再生カウント閾値が、広告関連テーブル６０内の広告主識別情報６１、広告データ６３、広告データ再生カウント閾値６２に記憶される。
【００４２】
次いで、図８を参照して、広告配信サーバ３０において実行される広告データ送信処理を説明する。広告データ送信処理は、広告配信サーバ３０において、携帯電話機１０から受信する広告データ要求に応じて、広告主識別情報が付加された広告データと、広告データ再生カウント閾値とを、要求元の携帯電話機１０に送信する処理である。
【００４３】
広告配信サーバ３０において、広告配信サーバ３０の管理者により広告データ送信処理実行指示が操作部３２を介して入力されたことをトリガとして、ＣＰＵ３１と、記憶部３５から適宜読み出されてＲＡＭ３３に展開された広告データ送信プログラムとの協働により広告データ送信処理が実行される。
【００４４】
先ず、携帯電話機１０から、広告データ要求が、基地局５０、通信ネットワークＮ及び通信部３６を介して受信されたか否かが判別される（ステップＳ２１）。ステップＳ２１は、図７に示す広告データ受信処理のステップＳ１１と、後述する広告データ表示処理のステップＳ４０とに対応する。広告データ要求が受信されていない場合（ステップＳ２１；ＮＯ）、ステップＳ２１に移行される。
【００４５】
広告データ要求が受信された場合（ステップＳ２１；ＹＥＳ）、記憶部３５から、広告データ要求に対応する、広告主識別情報が付加された広告データと、広告データ再生カウント閾値とが読み出されて、通信部３６、通信ネットワークＮ及び基地局５０を介して要求元の携帯電話機１０に送信され（ステップＳ２２）、広告データ送信処理が終了される。ステップＳ２２は、図７に示す広告データ受信処理のステップＳ１２と、後述する広告データ表示処理のステップＳ４１とに対応する。
【００４６】
ステップＳ２２では、広告配信サーバ３０から携帯電話機１０への通信経路として、下りの制御チャネルのうちの空きチャネルを利用して広告データなどが送信される。このため、空きチャネルを有効活用でき、空きチャネル２０携帯電話機１０のユーザに、無料又は低額料金の通信により、広告データなどが携帯電話機１０に提供できる。
【００４７】
次いで、図９、図１０及び図１１を参照して、携帯電話機１０において実行される広告データ表示処理を説明する。広告データ表示処理は、携帯電話機１０において、省電力モードからの回復時（省電力モードから通常待ち受けモードへの切り替え時）に、広告データを表示する処理である。省電力モードは、携帯電話機１０の起動中に所定時間以上キー操作入力がない場合に、省電力のため、消費電力の小さい省電力表示画面１４１を液晶表示部１４に表示するモードとする。携帯電話機１０において、その起動中に、所定時間以上キー操作が無く、（通常のモードから）省電力モードに自動的に切り替えられたことをトリガとして、ＣＰＵ１１と、ＲＯＭ１２から適宜読み出されてＲＡＭ１３に展開された広告データ表示プログラムとの協働により広告データ表示処理が実行される。
【００４８】
省電力モードでは、携帯電話機１０において、例えば、図１０（ａ）に示すように、通信状態、バッテリの充電状態及び現在時刻以外の情報を表示しない省電力表示画面１４１が液晶表示部１４に表示される。省電力モードで表示される画面は、省電力表示画面１４１に限定されるものではなく、例えば、全情報を表示しない画面や、全体的に暗くした画面などとしてもよい。
【００４９】
先ず、ユーザによりキー入力部１５を介してキー操作が入力されたか否かが判別される（ステップＳ３１）。キー操作が入力されていない場合（ステップＳ３１；ＮＯ）、ステップＳ３１に移行される。
【００５０】
キー操作が入力された場合（ステップＳ３１；ＹＥＳ）、フラッシュメモリ２３に記憶されている広告関連テーブル６０の広告データ６３から広告データが選択され、その広告データが液晶表示部１４、バイブレータ２１及び鳴音部２２の少なくとも１つにより再生される（ステップＳ３２）。例えば、図１０（ｂ）に示すように、広告データとして、森林の静止画が液晶表示部１４に表示され、これと同時に「環境に優しい〇×会社」などのメッセージが鳴音部２２により音再生される。また、再生時間は、フラッシュメモリ２３に記憶されているカウント重み付けテーブル７０の再生時間７２に基づいて設定される。
【００５１】
そして、ステップＳ３２において広告データが再生完了されたか否かが判別される（ステップＳ３３）。ステップＳ３２における広告データ再生は、再生中におけるユーザからのキー入力部１５からの再生中断入力により中断が可能であるものとし、その中断入力の有無に基づいて、広告データが再生完了されたか否かが判別される。
【００５２】
広告データが再生完了された場合（ステップＳ３３；ＹＥＳ）、フラッシュメモリ２３に記憶されたカウント重み付けテーブル７０が参照され、その参照結果に基づいて、フラッシュメモリ２３に記憶されている広告データ再生カウンタがインクリメントされる（ステップＳ３４）。例えば、図１０（ｂ）の例のように静止画＋音声の場合、その再生メディア７１に対応するカウンタインクリメント値７３が６であるので、広告データ再生カウンタが６インクリメントされる。また、広告データ再生カウンタは、広告主ごとにカウントされるものとする。
【００５３】
そして、フラッシュメモリ２３に記憶されている広告関連テーブル６０の広告データ再生カウント閾値６２が参照され、広告データ再生カウンタのカウント数が、ステップＳ３２において再生された広告データに対応する広告データ再生カウント閾値以上であるか否かが判別される（ステップＳ３５）。
【００５４】
広告データ再生カウント数が広告データ再生カウント閾値以上である場合（ステップＳ３５；ＹＥＳ）、所定回数以上広告を再生してユーザが各種特典を受けるためのユーザ登録要求が生成され、無線部１７、アンテナ１６、基地局５０及び通信ネットワークＮを介してユーザ登録サーバ４０に送信される（ステップＳ３７）。
【００５５】
そして、ユーザ登録サーバ４０から、ユーザ登録完了の旨のメッセージ（ユーザ登録完了メッセージ）を、通信ネットワークＮ、基地局５０、アンテナ１６及び無線部１７を介して受信され、そのユーザ登録完了メッセージが液晶表示部１４に表示される（ステップＳ３８）。
【００５６】
そして、フラッシュメモリ２３に記憶する広告データを変更又は追加するために、広告データ要求を広告配信サーバに対して送信するか否かが判別される（ステップＳ３９）。変更又は追加のための広告データ要求を実行するか否かの判別は、自動的に行われる、又はキー入力部１５を介するキー操作入力により手動で行われる。また、広告データ再生後に毎回、変更又は追加のための広告データ要求が自動的に行われる構成としてもよい。広告データ再生カウント数が広告データ再生カウント閾値以上でない場合（ステップＳ３５；ＮＯ）、ステップＳ３９に移行される。
【００５７】
広告データ要求を行う場合（ステップＳ３９；ＹＥＳ）、追加又は変更する広告データの広告データ要求が生成され、その広告データ要求が、無線部１７、アンテナ１６、基地局５０及び通信ネットワークＮを介して広告配信サーバ３０に送信される（ステップＳ４０）。
【００５８】
そして、広告データ要求に対応する広告主識別情報が付加された広告データと、その広告データに関連する広告データ再生カウント閾値とが、通信ネットワークＮ、基地局５０、アンテナ１６及び無線部１７を介して広告配信サーバ３０から受信される（ステップＳ４１）。そして、ステップＳ４１で受信した、広告主識別情報が付加された広告データと、広告データ再生カウント閾値とが、広告関連テーブル６０としてフラッシュメモリ２３に記憶される（ステップＳ４２）。
【００５９】
そして、現在の広告データ再生カウント数を表示するか否かが判別される（ステップＳ４３）。例えば、ユーザからキー入力部１５を介して、現在の広告データ再生カウント数の表示指示が入力されたか否かにより判別される。また、広告データ再生カウント数は、例えば、広告主ごとの広告データの再生カウント数である。広告データが再生完了されない場合（ステップＳ３３；ＮＯ）、又は広告データ要求を行わない場合（ステップＳ３９；ＮＯ）、ステップＳ４３に移行される。
【００６０】
現在の広告データ再生カウント数を表示する場合（ステップＳ４３；ＹＥＳ）、フラッシュメモリ２３に記憶された広告関連テーブル６０及び広告データ再生カウンタが参照され、広告主ごとに、広告データ再生カウント閾値とともに現在の広告データ再生カウント数が液晶表示部１４に表示される（ステップＳ４４）。例えば、図１１に示すように、広告主識別情報６１に対応する広告主１４４１と、広告データ再生カウント閾値６２に対応する閾値１４４２と、広告データ再生カウンタに対応するカウント数１４４３とが表示される。
【００６１】
そして、通常待ち受けモードに対応する通常の待ち受け画面が液晶表示部１４に表示され（ステップＳ４５）、広告データ表示処理が終了される。ステップＳ４５は、具体的には例えば、図１０（ｃ）に示す通常待ち受け画面１４３が表示される。現在の広告データ再生カウント数を表示しない場合（ステップＳ４３；ＮＯ）、ステップＳ４５に移行される。
【００６２】
次いで、図１２を参照して、ユーザ登録サーバ４０において実行されるユーザ登録処理を説明する。ユーザ登録処理は、ユーザ登録サーバ４０において、携帯電話機１０から受信するユーザ登録要求に応じて、要求元である携帯電話機１０のユーザを各種特典付与対象に登録し、そのユーザに登録の旨を知らせる処理である。ユーザ登録サーバ４０において、ユーザ登録サーバ４０の管理者によりユーザ登録処理実行指示が操作部４２を介して入力されたことをトリガとして、ＣＰＵ４１と、記憶部４５から適宜読み出されてＲＡＭ４３に展開されたユーザ登録プログラムとの協働によりユーザ登録処理が実行される。
【００６３】
先ず、携帯電話機１０から、ユーザ登録要求が、基地局５０、通信ネットワークＮ及び通信部３６を介して受信されたか否かが判別される（ステップＳ５１）。ステップＳ５１は、図９に示す広告データ表示処理のステップＳ３７に対応する。ユーザ登録要求が受信されていない場合（ステップＳ５１；ＮＯ）、ステップＳ５１に移行される。
【００６４】
ユーザ登録要求が受信された場合（ステップＳ５１；ＹＥＳ）、ユーザ登録設定処理が実行される（ステップＳ５２）。例えば、ユーザ登録要求に対応するユーザの情報が、記憶部４５内の登録ユーザ管理データベースに追加して記憶される。広告事業者は、記憶部４５に記憶された登録ユーザ管理データベースに基づいて、各種特典を登録ユーザに付与する。各種特典とは、例えば、各種景品の郵送、通信通話料などの割引券の発行及び郵送、各種景品などをユーザが引き換えるための引換ポイント数付与などがある。他にも、前記割引券を電子データとして携帯電話機に送信する構成などとしてもよい。
【００６５】
そして、ユーザ登録完了の旨を示すメッセージが生成されて、通信部４６、通信ネットワークＮ及び基地局５０を介して要求元の携帯電話機１０に送信され（ステップＳ５３）、ユーザ登録処理が終了される。ステップＳ５３は、図９に示す広告データ表示処理のステップＳ３８に対応する。
【００６６】
以上、本実施の形態によれば、携帯電話機１０において、キー入力部１５を介するユーザのキー操作入力により省電力モードから通常待ち受けモードに切り替えられる際に、広告データを再生するので、不必要に広告データを再生することなく、ユーザに対して、適切且つ確実に広告を閲覧させることができ、宣伝効率を高めることができる。
【００６７】
また、広告データ再生カウント数が広告データ再生カウント閾値以上になった場合に、ユーザがユーザ登録要求でき、登録ユーザに特典を与えるので、ユーザに対して、さらに効果的に広告データを閲覧させることができる。
【００６８】
また、携帯電話機１０において、カウント重み付けテーブル７０を用いて、広告データの種類（再生メディア）に基づいて、広告データ再生カウンタのインクリメント量を変更するので、広告データの種類に応じて効率的に広告データ再生カウンタをインクリメントできる。
【００６９】
また、携帯電話機１０において、予め広告配信サーバ３０から広告データを受信してフラッシュメモリ２３に記憶させるので、広告データ再生時には、外部機器と通信することなく、フラッシュメモリ２３から広告データを読み出して再生を開始することができる。
【００７０】
また、携帯電話機１０において、広告データ再生後に、追加又は変更する広告データを自動又は手動で広告配信サーバ３０からダウンロードしてフラッシュメモリ２３に記憶するので、再生する広告データを容易に取得して記憶することができる。
【００７１】
また、携帯電話機１０において、広告データ再生カウント数を液晶表示部１４に表示可能であるので、ユーザが容易に広告データ再生カウント数を確認できる。また、広告データを再生完了した場合に広告データ再生カウンタをインクリメントするので、広告データを閲覧完了したユーザのみをカウントすることができる。
【００７２】
また、広告データは、下りの制御チャネルの空きスロットを利用して配信されるので、広告データの配信の通信料に多大な費用がかかることなく、広告データのダウンロードを無料又は低額料金にでき、ユーザに対して、より容易に広告データを閲覧させることができる。
【００７３】
なお、上記実施の形態では、広告配信サーバ３０において、携帯電話機１０への通信の制御チャネル上の空きスロットを利用して広告データを配信する構成としたが、これに限定されるものではない。例えば、その他の専用の待ち受けチャネル上から広告データを配信してもよく、さらには、その他の方法を用いて携帯電話機１０のユーザに対して無料又は低額料金で広告データを配信する構成としてもよい。
【００７４】
また、上記実施の形態では、携帯電話機１０において、広告データの再生後に、広告データ再生カウント数などを液晶表示部１４に表示させる構成としたが、これに限定されるものではない。例えば、任意のタイミングで、ユーザからキー入力部１５を介して広告データ再生カウント数表示要求が入力された場合に、その広告データ再生カウント数及びその関連情報を液晶表示部１４に表示させる構成としてもよい。
【００７５】
また、上記実施の形態では、携帯電話機１０において、省電力モード中の省電力表示画面１４１表示中におけるキー入力部１５の操作入力により、広告データを再生して通常待ち受けモードに切り替える構成であるが、これに限定されるものではない。例えば、携帯電話機が折りたたみ式の筐体を有する場合、省電力モード中の筐体の開平動作をトリガとして、広告データを再生して通常待ち受けモードに切り替える構成でもよい。さらに、液晶表示部１４がキー入力部１５とともにタッチスクリーンを構成する場合、省電力表示画面１４１表示中のユーザからのタッチ動作をトリガとして広告データを再生して通常待ち受けモードに切り替える構成でもよい。
【００７６】
また、上記実施の形態では、基地局５０を介して携帯電話機１０の無線通信により広告配信サーバ３０から広告データをダウンロードする構成であるが、これに限定されるものではない。例えば、無線ＬＡＮのアクセスポイントを介して無線ＬＡＮ機能を有する携帯端末により、広告配信サーバ３０から広告データをダウンロードする構成としてもよい。さらに、通信ネットワークＮに接続されたＰＣなどが携帯電話機１０用のクレードルを備え、そのクレードル及びＰＣなどを介して携帯電話機１０が広告配信サーバ３０から広告データをダウンロードする構成としてもよい。
【００７７】
また、上記実施の形態では、携帯電話機１０において、広告データ再生カウント数が広告データ再生カウント閾値以上になった場合に、自動的にユーザ登録要求をユーザ登録サーバ３０に送信しているが、これに限定されるものではない。例えば、さらにユーザからキー入力部１５を介してユーザ登録指示が入力された場合に、ユーザ登録要求をユーザ登録サーバ３０に送信する構成としてもよい。
【００７８】
また、上記各実施の形態における広告配信システム１００の各構成要素の細部構成及び細部動作に関しては、本発明の趣旨を逸脱することのない範囲で適宜変更可能であることは勿論である。
【図面の簡単な説明】
【００７９】
【図１】本発明に係る実施の形態の広告配信システム１００の構成を示す図である。
【図２】携帯電話機１０の内部構成を示す図である。
【図３】広告配信サーバ３０の内部構成を示す図である。
【図４】ユーザ登録サーバ４０の内部構成を示す図である。
【図５】広告関連テーブル６０の構成を示す図である。
【図６】カウント重み付けテーブル７０の構成を示す図である。
【図７】携帯電話機１０において実行される広告データ受信処理を示すフローチャートである。
【図８】広告配信サーバ３０において実行される広告データ送信処理を示すフローチャートである。
【図９】携帯電話機１０において実行される広告データ表示処理を示すフローチャートである。
【図１０】携帯電話機１０に表示される表示画面を示す図であり、（ａ）は省電力表示画面１４１を示す図であり、（ｂ）は静止画再生画面１４２を示す図であり、（ｃ）は通常待ち受け画面１４３を示す図である。
【図１１】携帯電話機１０に表示される広告データ再生カウント値表示画面１４４を示す図である。
【図１２】ユーザ登録サーバ４０において実行されるユーザ登録処理を示すフローチャートである。
【符号の説明】
【００８０】
１００  広告配信システム
１０  携帯電話機
１１  ＣＰＵ
１２  ＲＯＭ
１３  ＲＡＭ
１４  液晶表示部
１５  キー入力部
１６  アンテナ
１７  無線部
１８  スピーカ
１９  マイク
２０  音声変換回路
２１  バイブレータ
２２  鳴音部
２３  フラッシュメモリ
３０  広告配信サーバ
４０  ユーザ登録サーバ
３１，４１  ＣＰＵ
３２，４２  操作部
３３，４３  ＲＡＭ
３４，４４  表示部
３５，４５  記憶部
３６，４６  通信部
３７，４７  バス
５０  基地局
【図１】
2005303352.tif 000003
【図２】
2005303352.tif 000004
【図３】
2005303352.tif 000005
【図４】
2005303352.tif 000006
【図５】
2005303352.tif 000007
【図６】
2005303352.tif 000008
【図７】
2005303352.tif 000009
【図８】
2005303352.tif 000010
【図９】
2005303352.tif 000011
【図１０】
2005303352.tif 000012
【図１１】
2005303352.tif 000013
【図１２】
2005303352.tif 000014